(57)【要約】【課題】従来の生理用ナプキンの形状は経血が体の後方へ流れ後漏れしやすかった。従来の生理用ナプキンの形状は経血が横漏れしやすかった。蒸れることにより臀部の皮膚に湿疹やかゆみやただれが生じやすかった。【解決手段】ナプキン経血吸収部後部をＶ字状に細くし臀部の溝に挟み込む形態にする。さらに腰ベルト前部２、腹面部分６、経血吸収部本体、連結ベルト４、腰ベルト後部３を接合し一体化させた状態で腰ベルト前部２と腰ベルト後部３を装着時に接着しTバックショーツの形態とすることにより経血吸収部本体が体にフイットする。【選択図】図１
2006068222.tif 000002
【特許請求の範囲】
【請求項１】
使い捨て生理用ナプキンの経血吸収部後半部分をＶ字状に細くすることを特徴とする生理用ナプキン。  
【請求項２】
請求項１に記載のナプキンにおいて
さらに前記使い捨て生理用ナプキンの経血吸収部後部先端部分と同ナプキン腹面部部分をそれぞれ伸縮性のある連結ベルトと腰ベルトに接合させることにより体へのフイット性を高めたことを特徴とする使い捨て生理用ナプキン。
【請求項３】
請求項１に記載のナプキンにおいて
さらに前記使い捨てナプキンの経血吸収部本体の左右両端の肌当側に直接大腿部内側の皮膚に使い捨てナプキンを貼り付ける為の粘着テープを配設した使い捨て生理用ナプキン。
【請求項４】
請求項１に記載のナプキンにおいて
さらに前記使い捨てナプキンの経血吸収部本体の経血吸収部後部先端部分を臀部の溝の終点付近の肌に直接貼り付ける為の粘着テープを配設した使い捨て生理用ナプキン。
【請求項５】
請求項１に記載のナプキンにおいて
経血吸収部本体１の左右両端の経血吸収体１９と経血透液性シート１８を経血不透液性シート２０で包み込んだ横漏れ防止障壁１５を経血の横漏れや後漏れを防止する為に付加した使い捨て生理用ナプキン。
【発明の詳細な説明】
【技術分野】
【０００１】
本発明は、使い捨て生理用ナプキンの形状に関する。
【背景技術】
【０００２】
従来の使い捨て生理用ナプキンの形状は、図１０に示すように、ナプキンの前部と後部の幅はほぼ同じであるかもしくは後部が広くなっている。
従来の使い捨て生理用ナプキンの形状は装着者の体へのフイット性は高くない。
ほかに特許文献１にあるような、有孔のバックシート及び繊維性活性物質を用いたソング形吸収性生理ナプキン又はパンティーライナー上記の生理ナプキン又はパンティーライナーは装着者の体に対して後方に向かって細くなっているが、これは「ソング形スリップ又はG−ストリング下着に着用する時に有用である。」との記述より、下着からナプキンがはみ出さない事を目的とし後方を細くしたと思われる。
【特許文献１】特許公表２００３−５２６４６５
【発明の開示】
【発明が解決しようとする課題】
【０００３】
従来の使い捨て生理用ナプキンは主に就寝時の着用において、経血が臀部の溝を伝わって後方へ流れ、後ろ漏れが生じやすく下着や着衣、寝具を汚すことがあった。
そこで、本発明の経血吸収部後部をＶ字状に細くする目的は臀部の溝にナプキンを挟み込む為であり挟み込むことによって経血の後漏れを防ぐことを課題とする。
また従来の使い捨てナプキンは後方部に経血が流れ吸収されることにより蒸れが生じナプキン後方に接触する臀部の皮膚に湿疹やかゆみ、ただれが生じやすかった。
そこで、本発明は、経血の後漏れ、臀部の皮膚に生じる湿疹やかゆみ、ただれなどの不快症状を軽減することを課題とする。
従来の使い捨て生理用ナプキンは主に装着者の活動中においてナプキンと大腿部内股の間に隙間ができることにより横漏れが生じやすく下着や着衣が経血によって汚れることがあった。
そこで、本発明は経血の横漏れを軽減することを課題とする。
【課題を解決するための手段】
【０００４】
以上の課題を解決するために、第一発明は、使い捨てナプキン経血吸収部後部をＶ字状に細くし臀部の溝に挟み込む形態にすることを特徴とする使い捨て生理用ナプキンである。
第二発明は、前記使い捨てナプキンの経血吸収部後部先端部分と腹面部分を伸縮性のある連結ベルトと腰ベルトで連結させることによりＴバックショーツの形態となり経血吸収体本体が体に対し上方向に持ち上げられ体へのフイット性を高めることを特徴とする使い捨て生理用ナプキンである。
第三発明は前記使い捨てナプキンの経血吸収部本体の左右両端の肌当側に直接大腿部内側の皮膚に使い捨てナプキンを貼り付ける為の粘着テープを配設した使い捨て生理用ナプキンである。
第四発明は前記使い捨てナプキンの経血吸収部本体の経血吸収部後部先端部分を臀部の溝の終点付近の肌に直接貼り付ける為の粘着テープを配設した使い捨て生理用ナプキンである。
【発明の効果】
【０００５】
請求項１に記載されている発明はナプキン経血吸収部後部をＶ字状に細くし臀部の溝に挟み込む形態にすることにより経血が臀部の溝を伝って後方に流れておこる後漏れが軽減される。
さらに経血吸収部後部をＶ字状に細くすることにより臀部皮膚とナプキン経血吸収部後部の接触する面積が減り臀部皮膚の不快症状が軽減される。
請求項２に記載されている発明は腹面部分と経血吸収部後部先端部分を伸縮性のある腰ベルトと連結ベルトで連結させることによりＴバックショーツの形態となりが体に対し上方向に持ち上げられ
体へのフイット性が高まりさらに後漏れ、横漏れが軽減される。
請求項３に記載されている発明は経血吸収部本体の左右両端の肌当側に直接大腿部内側の皮膚に使い捨てナプキンを貼り付ける為の粘着テープを配設する。
これにより大腿部内側とナプキンの間の隙間が減少し横漏れが軽減される。
請求項４に記載されている発明は経血吸収部本体の経血吸収部後部先端部分を臀部の溝の終点付近の肌に直接貼り付ける為の粘着テープを配設する。
これにより臀部の溝と経血吸収部後部の隙間が減少し後漏れがさらに軽減される。
【発明を実施するための最良の形態】
【０００６】
図１の１は主に経血不透液性シート２０を裏側、経血透液性シート１８を肌側表面、経血吸収体１９を中間層として形成された経血吸収部本体である。
今後すべての幅と長さの記載については体に対して横方向を幅、縦方向を長さとして表わす。
幅80mm±20mm  長さ280mm±60mmとする。
幅の基準を80mmとした理由は装着者の左右太ももの付け根の間の距離を約80mmとし装着者の外性器を充分に覆う幅としても80mmが適当である。
また、80mm以下の場合横漏れする可能性も大きくなるそして、装着者の体格差に対応できるように±20mmとした。
長さの基準を280mmとした理由は経血吸収部中央エリア９は外性器からの経血の流出を最も多く吸収するエリアであり長さを100mmとし装着者の外性器を覆うに充分な長さである。
経血吸収部中央エリア９より体に対して前方の経血吸収部前部エリア８の長さを60mmとし前方への漏れを充分防ぐことができる。
経血吸収部中央エリア９より体に対して後方の経血吸収部後部エリア１０の長さを120mmとし臀部の溝の終点付近まで充分に届き後漏れを防ぐことができる。
経血吸収部前部エリア８の60mm、経血吸収部中央エリア９の100mm、経血吸収部後部エリア１０の120mm、以上の長さを合計すると経血吸収部本体１の長さは280mmとなる。
また上記の３つのエリアの長さに装着者の体格差に対応できるようにそれぞれ±20mmとし経血吸収部本体１の全体では±60mmとする。
図１では最良と思われる長さ280mm、幅80mmを1例とした。
【０００７】
図１では経血吸収部本体１の最前方の中央から左右両端の経血吸収部前部エリア８の長さ60mmを二等分した位置±20mmに向けてカーブをつけた例で表した。
カーブをつけたことにより装着者の大腿部との摩擦が減少し経血吸収部本体の前方左右両角のヨレや変形が軽減される。
経血吸収部前部エリア８の長さ60mmを二等分した位置±20mmをカーブの終点にした理由はこれ以上経血吸収部本体１の最前方の中央との差が少ないと効果が少なく経血吸収部中央部エリア９に近くすると経血の前漏れの心配があるためである。
【０００８】
図１の２は２枚の不織布の間に弾性部材（たとえば糸ゴム）２１を平均５mm.程度の間隔で平行に配設した伸縮性素材を用いた腰ベルト前部である。
装着時に長手方向に配設した弾性部材が体に対し横方向に伸縮する。
この伸縮性素材の伸縮率は平常時に比べ約150％とする。
長さ10mm〜40mm  平常時で幅80mm〜300mmとする。
長さを10mm〜40mmとした理由は10mm以下になると配設できる弾性部材の数と太さが制限されその結果伸縮性が弱くなり装着者の体への安定性が悪くなる。
長さが長くなるにつれ伸縮性には充分な数と太さの弾性部材を配設でき装着者の体への安定性も向上するが衣服のシルエットへの影響が増し装着時にこの腰ベルトによるしめつける力も面積も大きくなり装着者に不快感を与えるためである。
その結果40mmの長さがあれば充分に装着者の体にフイットする。
長さ80mm〜300mmとした理由のうち最短の80mmは経血吸収部本体１の最大幅80mmを腹面部分６を経て腰ベルト前部２に至るまで幅80mmのままとした。
最長の300mmとした場合、腰ベルト前部２の左右両端が装着者の体の左右両側面近くまでそれぞれ届き装着時に腰ベルト後部３と粘着テープで固定する際の作業が容易である。
300mmを超えると固定する位置が体の左右両側面から背中側に近づくにつれ粘着テープを固定する際の作業が困難になるためである。
図１では最良と思われる長さ20mm、幅200mmを1例とした。
【０００９】
図１の２Ａは腰ベルト前部２の裏側つまり装着者の肌と直接接触しない側の装着時に体の左側に来るように配設された再剥離用粘着テープ止め左である。
図１の２Bは腰ベルト前部２の裏側つまり装着者の肌と直接接触しない側の装着時に体の右側来るように配設された再剥離用粘着テープ止め右である。
長さ10mm〜40mm  幅40mm〜150mm長さ10mm〜40mmとした理由は腰ベルト前部２の裏側に配設される為腰ベルト前部２の長さと同じにした。
幅40mm〜150mmとした理由は腰ベルト前部２の幅を80mm〜300mmとしていてその裏側に２Aと２Bを配設する。
腰ベルト前部２の幅が最短の80mmの場合等しい幅の２Aと２Bを配設するため、この80mmを二等分した幅40mmを２A,２Bそれぞれの最短の長さとした。
腰ベルト前部２の幅が最長の300mmの場合この300mmを二等分した幅150mmを２A,２Bそれぞれの最長の長さとした。
この再剥離用粘着テープ止めは長いほど装着者の体格差に対応できるようになるがこのテープを腰ベルト前部２上に配設することにより腰ベルト前部２の伸縮が妨げられることを考慮する必要がある。
従って2A,２Bの幅を20mm程度に分割し腰ベルト前部２上に左右対称で任意の間隔で配設してもよい。
【００１０】
図１の３は腰ベルト前部と同じ弾性部材（たとえば糸ゴム）２１を用いた腰ベルト後部である。
腰ベルト前部２と同じく装着時に長手方向に配設した弾性部材が体に対し横方向に伸縮する。この伸縮性素材の伸縮率は平常時に比べ約150％とする。
長さ10mm〜40mm  平常時で幅280mm〜500mmとする。
長さを10mm〜40mmとした理由は腰ベルト前部２と同じく10mm以下になると配設できる弾性部材の数と太さが制限されその結果伸縮性が弱くなり装着者の体への安定性が悪くなり幅が太くなるにつれ伸縮性には充分な数と太さの弾性部材を配設でき、伸縮性が増し装着者の体への安定性も向上するが衣服のシルエットへの影響が増し、装着時にこの腰ベルトによるしめつける力も面積も大きくなり装着者に不快感を与えるので40mmの幅があれば充分に装着者の体にフイットする為である。
幅280mm〜500mmにした理由は280mm以下になると腰ベルト後部３の左右両端が装着者の体の左右両側面に届かず背中側にあるため装着時に腰ベルト前部２と粘着テープで固定する際の作業が困難になる。
最大幅500mmとした理由について説明する。
腰ベルト前部２と腰ベルト後部３は装着時に粘着テープで固定し一つのつながったベルトとし装着者の胴囲に装着する。
この場合の胴囲の位置はウエスト（胴の一番くびれた所）より10センチ程度下がった腰骨のすぐ上とする。
平均的な体型の装着者の胴囲を適度な伸縮性を保ちながらこのベルトを装着するにはこの伸縮性素材の平常時の長さで550mmが良い。
これら胴囲の位置、胴囲の長さは一般的なTバックショーツの装着の状態を参考にした。
図９で表わしたように腰ベルト前部２の幅を最小の80mmとした場合550mm（ベルトの周囲）−80mm（腰ベルト前部）＝470mm（腰ベルト後部）となる。
この470mmに腰ベルト前部との重なりしろを左右に15mmずつ足し500mmとした。
腰ベルト前部２の幅を最大の300mmとした場合は550mm（ベルトの周囲）−300mm（腰ベルト前部）＝250mm（腰ベルト後部）となり。
この250mmに腰ベルト前部２との重なり代を左右に15mmずつ足し280mmとなる。
図１では、腰ベルト２の幅を200mmとし550（ベルトの周囲）-200（腰ベルト前部）＝350（腰ベルト後部）となり。
この350mmに腰ベルト前部２との重なり代を左右に15mmずつ足し380mmとなる。
【００１１】
図１の３Ａは腰ベルト後部３の左端表側つまり装着者の肌と直接接触する側の装着時に体の左側に来るように配設された再剥離用粘着テープ左である。
図１の３Bは腰ベルト後部３の右端表側つまり装着者の肌と直接接触する側の装着時に体の右側に来るように配設された再剥離用粘着テープ右である。
幅10mm〜40mm  長さ10mm〜40mmである。
長さ10mm〜40mmとした理由は腰ベルト後部３の表側に配設される為腰ベルト後部３の長さと同じにした。
幅10mm〜40mmとした理由は10mm以下では粘着力が弱く装着時に剥がれやすいが40mmあれば接着し固定するのに充分な粘着力があるためである。
【００１２】
図１の４は腰ベルト前部と同じ伸縮性素材を用いた腰ベルト後部３の中央と経血吸収部後部先端部分５を接合する連結ベルトである。
この伸縮性素材の伸縮率は平常時に比べ約150％とする。
装着時に長手方向に配設した弾性部材が体に対し縦方向に伸縮し経血吸収部本体を体に密着させる。
幅10mm〜40mm  長さ100mm±30mmとする。
幅10mm〜40mmとした理由は10mm以下になると配設できる弾性部材の数と太さが制限されその結果伸縮性が弱くなり装着者の体への安定性が悪くなる。
幅が太くなるにつれ強度には充分な数と太さの弾性部材を配設でき伸縮性が増し装着者の体への安定性も向上するが幅が太過ぎると衣服のシルエットへの影響が増し、装着時にこの連結ベルトの面積も大きくなり装着者に不快感を与えるので幅40mm以下が適当である。
長さの基準を100mmとした理由は経血吸収部後部先端部分５を臀部の溝の終点辺りにくるように装着し腰ベルト後部３は胴囲に装着する、連結ベルト４はこの二つの部品を接続する。
一般的な体型の装着者の場合この二つの部品の間の距離を100mmとし装着者の体格差を考慮し±30mmとした。
【００１３】
図１の４Aは経血吸収部後部先端部分５に接合する側の連結ベルト４の端部分である。
図１の４Bは腰ベルト後部３の中央に接合する側の連結ベルト４の端部分である。
【００１４】
図１の５は経血吸収部本体１のうちの経血吸収部後部先端部分である。
【００１５】
図１の６は経血不透液性シート２０と経血透液性シート１８の間に弾性部材（たとえば糸ゴム）を配設した伸縮性素材を用いた経血吸収体は配設しない、装着者の腹部にフイットする腹面部分である。
この伸縮性素材の伸縮率は平常時に比べ約120％とする。
長さは中央位置で100mm±30mmとする。
長さの基準を100mmとした理由は腰ベルト前部２と腰ベルト後部３は装着時に粘着テープで固定し一つのベルトとし装着者の胴囲に位置する。
腰ベルト後部３の背中中央から臀部の溝を通り腰ベルト前部２の下部の腹部中央までの距離を標準的な体型の装着者の場合480mmとし経血吸収部本体１の長さは280mmであり連結ベルト４は100mmである。
480mm−280mm（経血吸収部本体の長さ）−100mm（連結ベルトの長さ）＝100mm（腹面部分の長さ）となる。
装着者の体格差を考慮し±30mmとした。
図１で表した１例では経血吸収部本体１の最前方の中央から左右両端の経血吸収部前部エリア８の長さ60mmを二等分した位置±20mmに向けてカーブがついていて腹面部分６の下端と接合している。
従って腹面部分６の下端にもカーブがついているため腹面部分６の長さは中央位置より左右両端に向うほど長くなる。
【００１６】
腹面部分６には経血吸収体を配設しない理由について。
従来の使い捨てナプキンにおいて前方から経血が漏れることはまれであり経血吸収部前部エリア８の長さ60mm±20mmで充分である。
経血吸収体を配設しないことにより通気性が向上し蒸れを軽減する。
また、腹面部分６の厚さが薄くなりまた重量も軽くなり装着時に衣服のシルエットへの影響が軽減される。
また、わずかながらコストを軽減することができる。
【００１７】
腹面部分６の左右両端の形状について図１ではその１例を示した。
腰ベルト前部２の幅を200mmとし経血吸収部本体１の幅を80mmとした。
腹面部分６の下端は経血吸収部本体１の前方端と接合しその部分の幅は80mmである。
腹面部分６の上端は腰ベルト前部２の下端と接合するが腰ベルト前部２は体に対して横方向に伸縮し腹面部分６に用いた伸縮素材は体に対して縦方向に伸縮し体の横方向には伸縮しない。
よって腹面部分６と腰ベルト前部２を接合する際に腰ベルト前部２を伸ばした状態で腹面部分６と接合しなければ腰ベルト前部２の伸縮性は望めない。
そこで平常時の幅200mmの腰ベルト前部２を約280mmに伸ばした状態で幅280mmの腹面部分６の上端と接合する。
その結果腰ベルト前部２と腹面部分６の上端の接合した部分の長さは平常時で200mmとなる。
腹面部分６の下端の幅は80mmであり腹面部分6の上端の幅は280mmである。
したがって、腹面部分６の下端の左右両端から腹面部分6の上端の左右両端を結ぶ線は斜めになり腹面部分の形状は扇型となる。
その際真っ直ぐな斜め直線では装着者の足の動きの妨げになるのでゆるやかなカーブをつけた。    
この形状を１例として挙げた理由については腹面部分６の面積が広くなるにつれ蒸れやすくなりまた装着時に違和感が増すが体とのフィット性と安定性は向上する。
逆に腹面部分６の面積が狭くするにつれ蒸れにくくなりまた装着時に違和感が減少するが体とのフィット性と安定性は少なくなる。
これらを考慮した結果の１例である。
【００１８】
図１の７は経血吸収部本体１の前部最先端から腰ベルト前２の下端までの腹面エリアを表わす。
長さの範囲は100mm±20mmとする。
長さの基準を100mmとした理由は腰ベルト前部２と腰ベルト後部は装着時に粘着テープで固定し一つのベルトとし装着者の胴囲に位置する。
腰ベルト後部３の背中中央から臀部の溝を通り腰ベルト前部２の下部の腹部中央までの距離を標準的な体型の装着者の場合480mmとし経血吸収部本体１の長さは280mmであり連結ベルト４は100mmである。
480mm−280mm（経血吸収部本体）−１００mm（連結ベルト）＝100mmとなる。
装着者の体格差を考慮し±30mmとした。
【００１９】
図１の８は経血吸収部本体１のうちの経血吸収部中央エリア９より体の前方と接する経血吸収部前部エリアを表す。
長さの範囲は60mm±20mmとする。
長さの基準を60mmとした理由は従来の使い捨てナプキンを参考にし経血吸収部前部エリアは60mmあれば充分に経血を吸収し前漏れを防ぐことができる。
装着者の体格差を考慮し±20mmとした。
【００２０】
図１の９は経血吸収部本体１のうちの外性器と直接接する部分で最も経血の流出を最も多く吸収する経血吸収部中央エリアを表す。
長さの範囲は100mm±20mmとする。
長さの基準を100mmとした理由は従来の使い捨てナプキンを参考にし経血吸収部中央エリアは100mmあれば充分に経血を吸収すると考えた。
装着者の体格差を考慮し±20mmとした。
【００２１】
図１の１０は経血吸収部本体１のうちの経血吸収部中央エリア９より体の後方と接する経血吸収部後部エリアを表す。
長さの範囲は120mm±20mmとする。
長さの基準を120mmとした理由は従来の使い捨てナプキンを参考にし経血吸収部後部エリアは120mmあれば充分に経血を吸収し後漏れを防ぐことができる。
また、120mmあれば臀部の溝の終点付近まで充分に届き、後漏れを防ぐことができる。
装着者の体格差を考慮し±20mmとした。
【００２２】
経血吸収部後部エリア１０における経血吸収部本体１の形状について。
経血吸収部本体１の左右両縁において経血吸収部中央エリア９と経血吸収部後部エリア１０の境目から長さにして±30mmの位置より経血吸収部後部先端部分５に向けて斜めに細いＶ字状の形状ととする。
経血吸収部後部エリア１０の経血吸収部本体１は経血吸収部後部先端部分５を頂点とする鋭角となり、経血吸収部本体１の細くなった部分を臀部の溝に挟み込む形態とする。
経血吸収部中央エリア９と経血吸収部後部エリア１０の境目から長さにして±30mmの位置より細くする理由は30mm以上、体の前方寄りの位置から細くすると横漏れの心配が生じ逆に30mm以上、体の後方寄りの位置から細くすると経血吸収部後部先端部分５を頂点とする角度が大きくなり面性が広くなるため臀部の溝に経血吸収部後部エリア１０を挟み込みにくくなるからである。
【００２３】
図１の１１は経血吸収部中央部エリア９の中心部分を表わす。
【００２４】
各部材の接合による一体化について
腰ベルト前部２の長手方向の下端は腹面部分６上端と接合し腹面部分６の下端は経血吸収部本体１の上端と接合し経血吸収部本体１の下端つまり経血吸収部後部先端部分５は連結ベルト４の端部分４Aと接合する連結ベルト４の端部分４Bは腰ベルト後部３の長手方向の中央位置と接合する。
腰ベルト前部２裏側に再剥離用粘着テープ止め左２A、右２Bを配設する。
腰ベルト後部３表側に再剥離用粘着テープ左3A、右３Bを配設する。
以上の部材が接合し一体化することにより装着可能な状態となる。
【００２５】
装着について
装着者は経血吸収部中央部エリア９の中心部分１１を外性器にあたる位置にまた、経血吸収部後部先端部分５が臀部の溝の終点辺りにくるようにあてる。
腰ベルト後部３の両端にある再剥離用粘着テープ左３A、右3Bをそれぞれ腰ベルト前部２上の再剥離用粘着テープ止め左２A、右２Bに装着者が自分の胴囲に合わせサイズ調整し接着する。
その結果Tバックショーツの形態となる。
結果経血吸収部本体１と接合する腹面部分６と連結ベルト４は装着者の体に対して縦方向に伸縮し腰ベルト前部２と腰ベルト後部３は装着者の体に対して横方向に伸縮する。
これらが一体化して、Tバックショーツの形態となった結果、経血吸収部本体１は体にフイットする。
【実施例】
【００２６】
この実施形態によれば経血吸収部後部エリア１０における経血吸収部本体１を経血吸収部後部先端部分５に向けてＶ字状に細くし臀部の溝に挟み込む形態にすることにより後漏れと臀部皮膚の不快症状が軽減される。  
この実施形態によれば腰ベルト前部２、腹面部分６、経血吸収部本体１、連結ベルト４、腰ベルト後部３をそれぞれ接合することにより各部材が一体化しナプキン全体がＴバックショーツの形態となり経血吸収部本体１が体に対し上方向に持ち上げられ体にフィットして後漏れと横漏れさらに臀部皮膚の不快症状が軽減される。
この実施形態によれば腰ベルト前部２、腰ベルト後部３、連結ベルト４、腹面部分６に伸縮性素材を用いることにより装着者の体の大きさに適合しフイットする。
また再剥離用粘着テープ止め左２Aと再剥離用粘着テープ左３A、再剥離用粘着テープ止め右２Bと再剥離用粘着テープ右３Bを装着者の任意の位置で接着固定できるように２A,2Bの長さを最大でそれぞれ150mmとした。
これにより装着者の胴囲の大きさにさらに合わせてフイットさせることができる。  
〔他の実施形態〕
【００２７】
図３のように経血吸収部本体１の左右両端の大腿部に接する部分である経血吸収部中央部エリア９を中心に経血の横漏れによる下着の汚れを防止する為のウイング状の物品１２を付加してもよい。
【００２８】
図４のように経血吸収部本体１と腹面部分６が接合した状態でその左右両端に経血の横漏れや後漏れによる下着やの汚れを防止する為のサイドギャザー１３を腹面エリア７，経血吸収部前部エリア８，経血吸収部中央部エリア９，経血吸収部後部エリア１０のエリア内に任意の位置に任意の長さと幅で付加してもよい。
【００２９】
図５のように経血吸収部本体１の経血吸収部後部エリア１０の左右両端から後方へ経血の後漏れによる下着の汚れを防止する為にヒップホールド用フラップ１４を付加してもよい。
【００３０】
図６のように経血吸収部本体１の左右両端の経血吸収体１９と経血透液性シート１８を経血不透液性シート２０で包み込んだ横漏れ防止障壁１５を経血の横漏れや後漏れを防止する為に付加してもよい。
横漏れ防止障壁１５の幅は5mm〜20mmとしその理由は5mm以下では漏れを防止する効果が少なく20mm以上では経血吸収部本体１と肌が接する面積が少なくなり経血を吸収する能力が落ちるためである。
【００３１】
図７のように経血吸収部本体１の左右両端の経血吸収部中央部エリア９に体とナプキンの密着度を高めて経血の横漏れを防止する為に粘着テープ１６を配設してもよい。
この粘着テープは経血吸収部本体１の左右両端の肌当側にあり装着時に大腿部内側の皮膚に直接貼り付ける。
テープの大きさは幅5mm〜20mm  長さ30mm〜70mmである。
幅5mm〜20mmとした理由について5mm以下では接着力が弱く20mm以上では経血吸収部本体１と肌の接する面積が少なくなり経血を吸収する能力が落ちる。
長さ30mm〜70mmとした理由は30mm以下では接着力が弱く70mm以上では装着時に肌に貼り付ける作業が困難になるためである。
またこのテープの面積が大きくなると粘着力は増大するが装着者に不快感を与える可能性がある。
【００３２】
図7のように経血吸収部後部先端部分５に体とナプキンの密着度を高めて経血の後漏れを防止する為に粘着テープ１７を配設してもよい。
この粘着テープは経血吸収部後部先端部分５の肌当側にあり装着時に臀部の溝の終点付近の皮膚に直接貼り付ける。
テープの大きさは幅10mm〜20mm  長さ10mm〜20mmである。  
幅10mm〜20mm  長さ10mm〜20mmとした理由について幅と長さ共に10mm以下では接着力が弱く20mm以上では貼り付けた臀部に違和感を多く感じるからである。
【００３３】
ウイング状の物品１２、サイドギャザー１３、ヒップホールド用フラップ１４、横漏れ防止障壁１５、粘着テープ１６、粘着テープ１７はそれぞれ単独で用いても複数組み合わせて用いてもよい。
【００３４】
図８は腹面部分６のその他の形状の一例を示す。
腹面部分６の下端は経血吸収部本体１の前方端と接合しその部分の幅は80mm±20mmである。
腹面部分６の下端は幅80mm±20mm  長さ100mm±30mmで左右の両端は平行線を保ち幅80mmのまま腰ベルト前部２の下端の幅80mmと接合する。
図１の腹面部分６の例に比べ図８の腹面部分６の面積は狭くなり腹部と接する部分が減少することから蒸れが軽減され、装着時に衣服のシルエットへの影響が軽減される。
面積が小さくなるので素材の使用量も減りコストを下げることができる。
【００３５】
図９は経血吸収部中央部エリア９の中心位置を横に切った断面図である。
図９ではウイング状の物品１２、横漏れ防止障壁１５、粘着テープ１６を組み合わせた例である。
粘着テープ１６は横漏れ防止障壁１５の上に配設されていて装着時に装着者自身が大腿部内側の皮膚に直接貼り付ける。
【００３６】
この使い捨てナプキンに使われる素材の色に関して限定はしていない。
しかしこの使い捨てナプキンは素材にピンクやブルーなどの色や花柄、ヒョウ柄などを用いてもよい。
この使い捨てナプキンの形状の上からもTバックショーツに似ていて色や柄を施すことにより生理用品というイメージからデザイン的にも優れた斬新でおしゃれなイメージに変えることができる。
【００３７】
この使い捨てナプキンの素材は主に経血不透液性シートを裏側、経血透液性シートを肌側表面、経血吸収体を中間層として配設しているが通気性や保液性など優れた効果の認められるその他の素材を追加してもよい。
【００３８】
図１の腹面部分６と経血吸収部本体１の肌側表面に配設された経血透液性シートとナプキン裏側に配設された経血不透液性シートはそれぞれ一枚のつながったシートを用いてもよい。
【図面の簡単な説明】
【００３９】
【図１】本発明の実施形態を示す平面図である。
【図２】本発明の実施形態を示す装着時の斜視図である。
【図３】本発明の他の実施形態を表わす平面図である。
【図４】本発明の他の実施形態を表わす平面図である。
【図５】本発明の他の実施形態を表わす平面図である。
【図６】本発明の他の実施形態を表わす平面図である。
【図７】本発明の他の実施形態を表わす平面図である。
【図８】本発明の他の実施形態を表わす平面図である。
【図９】本発明の他の実施形態を表わす断面図である。
【図１０】従来の使い捨て生理用ナプキンの形態を示す平面図である。
【符号の説明】
【００４０】
１  経血吸収部本体
２  腰ベルト前部
２Ａ  再剥離用粘着テープ止め左
２B  再剥離用粘着テープ止め右
３  腰ベルト後部  
３Ａ  再剥離用粘着テープ左
３B  再剥離用粘着テープ右
４  連結ベルト
４A  連結ベルト４の端部分（経血吸収部後部先端部側）
４B  連結ベルト４の端部分（腰ベルト後部側）
５  経血吸収部後部先端部分  
６  腹面部分
７  腹面エリア
８  経血吸収部前部エリア
９  経血吸収部中央部エリア
１０  経血吸収部後部エリア
１１  経血吸収部中央部中心部分
１２  ウイング状の物品
１３  サイドギャザー
１４  ヒップホールド用フラップ
１５  経血不透液性シートで包み込んだ障壁
１６  粘着テープ
１７  粘着テープ
１８  経血透液性シート
１９  経血吸収体
２０  経血不透液性シート
２１  弾性部材（たとえば糸ゴム）
【図１】
2006068222.tif 000003
【図２】
2006068222.tif 000004
【図３】
2006068222.tif 000005
【図４】
2006068222.tif 000006
【図５】
2006068222.tif 000007
【図６】
2006068222.tif 000008
【図７】
2006068222.tif 000009
【図８】
2006068222.tif 000010
【図９】
2006068222.tif 000011
【図１０】
2006068222.tif 000012